(57)【要約】【課題】  ろ過用カートリッジフィルターエレメントにおける逆流洗浄時のろ材への無理な応力による破壊を、逆流洗浄作用を阻害しないで防止する。【解決手段】  筒状のろ材の両端をエンド部材１、３で支持するエレメントにおいて、エンド部材間に掛け渡される支柱４Ａ、４Ｂによって支持される複数個の細幅の内筒５をろ材７の全長方向に間隔をおいて内挿するとともに、内挿された各細幅の内筒をろ材に固着する。【選択図】      図３
2010240524.tif 000002
【特許請求の範囲】
【請求項１】
筒状のろ材の両端をエンド部材で支持するエレメントにおいて、エンド部材間に掛け渡される支柱によって支持される複数個の細幅の内筒をろ材の全長方向に間隔をおいて内挿するとともに、内挿された各細幅の内筒をろ材に固着したことを特徴とするろ過用カートリッジフィルターエレメント。
【請求項２】
細幅の内筒の上下方向に貫通孔を複数個穿設し、内筒内周面から上記貫通孔を介して接着剤をろ材内周面に架橋させることにより、細幅の内筒とろ材との固着手段とした請求項１記載のろ過用カートリッジフィルターエレメント。
【請求項３】
真円状の細幅の内筒の内周に沿って等角度間隔をもって配される複数本の支柱により細幅の内筒を支持する請求項１または２記載のろ過用カートリッジフィルターエレメント。
【請求項４】
トラック状の細幅の内筒の相対向する直線部分間に配される複数本の支柱により細幅の内筒を支持する請求項１または２記載のろ過用カートリッジフィルターエレメント。
【発明の詳細な説明】
【技術分野】
【０００１】
この発明は、集塵機等に使用される固気分離フィルターエレメントに関し、より詳細には逆流洗浄（カウンターブロー）時のろ材への無理な応力による破壊を防止するろ過用カートリッジフィルターエレメントに関する。
【背景技術】
【０００２】
集塵機等において、吸い込んだ空気より塵等の粉体（固形分）を捕集してろ過・分離するためにフィルターエレメントが使用されている。
【０００３】
図１０はこの種のフィルターエレメントを示すものであり、ここではプリーツを構成した筒状のろ材３２および、このろ材内に挿入される多数の透孔３４を有する内筒３３の両端を、エンド部材３０および３１で支持したものを例示している。なお、図中符号３６はエレメント内と外部を連通するための開口である。
【０００４】
この種のカートリッジフィルターエレメントにおいては、軽量となることおよび製造コストが低減されることより、両端、あるいは一端のエンド部材を合成樹脂の成形物により構成することが広く行われている。
【先行技術文献】
【特許文献】
【０００５】
【特許文献１】特許第２７５５５５８号公報
【発明の概要】
【発明が解決しようとする課題】
【０００６】
しかしながら、上記のようにエンド部材を合成樹脂の成形物により構成することは次のような問題点を招来した。先ず通常の状態においては内筒３３の寸法（仮にＡとする）、ろ材３２の寸法（仮にＢとする）およびエレメントの寸法（仮にＣとする）は、Ａ＝Ｂ＝Ｃの関係にある。ところが、稼働時において特に高圧の圧縮空気が通過する逆流洗浄（カウンターブロー）時には、通気抵抗によりろ材３２が両端中央部でｂ１、ｂ２の方向に大きく膨らんで直径が大きくなる現象を生じる。上記の現象は、本来直線状であるべきろ材３２が長さ方向を弦とする弧状に撓むことを意味し、その結果長さ方向の寸法が小さくなり、下部のエンド部材３１はろ材３２の支持箇所が上方向にａ１、ａ２の分だけ持ち上げられて撓み、Ａ＜Ｂ＝Ｃの関係となる（図１０の状態）。従って、この繰り返しによりエンド部材３１には撓みによる材料疲労を生じ、内筒３４の支持部を境に亀裂がはいったり、ろ材３２端とエンド部材との接着剤が剥がれたりしてエレメントを破壊する要因となった。
【０００７】
このため、図１１および図１２に示すように、ろ材３２の全長方向に間隔をおいて複数本の外掛け補強バンド３５を外嵌することが行われている（例えば、特許文献１の図１など）。こうすることによりろ材３２は補強バンドの位置に応じた一定間隔で外側への膨らみが規制されるので、長さ方向を弦として大きく弧状に撓むことが防止される（図１２参照）。
【０００８】
この外掛け補強バンド３５は前記の膨らみ防止には有効であるが、補強バンドがろ材３２の外周に突出するので、逆流洗浄において粉体の剥脱、落下移動の障害となり、かつコンタミネーションを作る原因となる問題があった。
【課題を解決するための手段】
【０００９】
この発明は上記の従来技術の問題点に鑑みて創作されたものであり、逆流洗浄時のろ材への無理な応力による破壊を、逆流洗浄作用を阻害しないで防止するろ過用カートリッジフィルターエレメントを提供することを目的とする。
【００１０】
すなわち、この発明のろ過用カートリッジフィルターエレメントは筒状のろ材の両端をエンド部材で支持するエレメントにおいて、エンド部材間に掛け渡される支柱によって支持される複数個の細幅の内筒をろ材の全長方向に間隔をおいて内挿するとともに、内挿された各細幅の内筒をろ材に固着したことを特徴とする。
【００１１】
また、ここでは第２発明として前記のろ過用カートリッジフィルターエレメントにおいて、細幅の内筒の上下方向に貫通孔を複数個穿設し、内筒内周面から上記貫通孔を介して接着剤をろ材内周面に架橋させることにより、細幅の内筒とろ材との固着手段とした発明も開示する。
【発明の効果】
【００１２】
以上の構成よりなるこの発明によれば、ろ材は細幅の内筒との固着位置に応じた一定間隔で外側への膨らみが規制されるので、長さ方向を弦として大きく弧状に撓むことが防止され、逆流洗浄時にろ材へ無理な応力が加わりエレメントを破壊することがない。
【００１３】
この場合、従来技術の外掛け補強バンドのようなろ材の外側に突出する障害物は存しないので、逆流洗浄において粉体の剥脱、落下移動を阻害せずに前記効果を得ることができる。
【００１４】
ところで、従来技術のろ材と同じ全長を有する内筒の一部をろ材と接着させ、帯状に固定しても、障害物をろ材の外側に突出させないで、ろ材の外側への膨らみを一定間隔で規制することができる。しかしながら、この場合は与圧時、逆流洗浄時には内筒の帯状固定部と、非固定部は別々の動きをすることになる。すなわち、逆流洗浄時には内筒の非固定部は自由に膨らむことが出来るが固定部は膨らむことができず、そのため、その境目でしばしば割れを生じ内筒は破壊されることになる。
【００１５】
この発明は内筒をろ材の全長方向に連続したものではなく、複数個の細幅のものに分割し、これをろ材の全長方向に間隔をおいて配する、いわば「スケルトン構造」としたので、各内筒は独立している。よって、前記のような連続した非固定が存せず、それが膨らむことにより内筒に無理な応力が加わることがない。
【図面の簡単な説明】
【００１６】
【図１】この発明のろ過用カートリッジフィルターエレメントの内部構造の分解斜視図。
【図２】同上、一部切り欠き正面図。
【図３】この発明のろ過用カートリッジフィルターエレメントの一部切り欠き正面図。
【図４】この発明のろ過用カートリッジフィルターエレメントの斜視図。
【図５】同上、細幅の内筒の要部の一部切り欠き正面図。
【図６】同上、細幅の内筒とろ材の要部の一部切り欠き正面図。
【図７】同上、細幅の内筒とろ材の要部の固着前の一部切り欠き正面図。
【図８】同上、細幅の内筒とろ材の要部の固着後の一部切り欠き正面図。
【図９】この発明のろ過用カートリッジフィルターエレメントの異なる実施例の一部切り欠き平面図。
【図１０】従来技術のろ過用カートリッジフィルターエレメントの一部切り欠き正面図。
【図１１】従来技術のろ過用カートリッジフィルターエレメントの一部切り欠き正面図。
【図１２】従来技術のろ過用カートリッジフィルターエレメントの一部切り欠き正面図。
【発明を実施するための形態】
【００１７】
以下、この発明の具体的実施例を添付図面に基づいて説明する。図１〜図８はこの発明のろ過用カートリッジフィルターエレメントの一実施例を示す図であり、ここでは断面真円状のエレメントを例示している。この発明のエレメントはプリーツを構成した筒状のろ材７および、このろ材内に挿入される真円状の細幅の内筒５を、例えばウレタン樹脂、塩ビ、ＡＢＳ樹脂等の合成樹脂により成形されるエンド部材１および３の間に支持した基本構成よりなる。なお、図中符号２はエレメント内と外部を連通するために上部のエンド部材１に設けられる開口である。
【００１８】
この場合、ろ材７は両端がエンド部材１および３に接着されて支持されるが、細幅の内筒５はエンド部材間に掛け渡される支柱４Ａ、４Ｂを介して支持されることとなる。すなわち、細幅の内筒５はろ材７の全長方向に間隔をおいて複数個（ここでは３個）配されるように支柱４Ａ、４Ｂの外側の上下方向に分散して固着される。この場合、支柱４Ａ、４Ｂは真円状の細幅の内筒５の内周に沿って等角度間隔をもって配されるよう、両端がエンド部材１および３に支持される。
【００１９】
前記の細幅の内筒５はそれに外挿されるろ材７の内周に固着されるが、この実施例においては細幅の内筒５の上下方向に貫通孔６を複数個穿設し、内筒内周面から上記貫通孔を介して接着剤Ｇをろ材内周面に架橋させて硬化させることにより固着手段としている。
【００２０】
図９はこの発明のろ過用カートリッジフィルターエレメントの異なる実施例を示す図である。ここでは、エレメントを二つの半円を相対向する直線で結んだ断面トラック状としている。ここではトラック状のろ材１７に内挿されるトラック状の細幅の内筒１５は、その相対向する直線部分に配される複数本（ここでは２本）の支柱１４Ａ、１４Ｂにより支持される。
【符号の説明】
【００２１】
１                エンド部材
３                エンド部材
４Ａ              支柱
４Ｂ              支柱
５                細幅の内筒
７                ろ材
【図１】
2010240524.tif 000003
【図２】
2010240524.tif 000004
【図３】
2010240524.tif 000005
【図４】
2010240524.tif 000006
【図５】
2010240524.tif 000007
【図６】
2010240524.tif 000008
【図７】
2010240524.tif 000009
【図８】
2010240524.tif 000010
【図９】
2010240524.tif 000011
【図１０】
2010240524.tif 000012
【図１１】
2010240524.tif 000013
【図１２】
2010240524.tif 000014